(57)【要約】    【課題】確実に無駄な消費電力を省くことのできるファクシミリ装置を提供する。    【解決手段】夜間モードで、外部から送信された画像データは（ステップＳ５でＹＥＳ）、記憶部４の画像記憶メモリ４１に記憶される。さらに、このとき、記憶部４の識別符号記憶メモリ４２に識別符号が記憶される（ステップＳ６）。夜間モードから昼間モードに切替えられると（ステップＳ８）、夜間モードにおいて画像記憶メモリ４１に記憶された複数の画像データ群のうちそれぞれの１ページ目のみが、識別符号が付されて出力される（ステップＳ９）。その後、操作部２が操作されて識別符号が入力されると（ステップＳ１０でＹＥＳ）、残りの画像データが出力される（ステップＳ１１）。    【効果】ファクシミリ装置１の消費電力を確実に抑えることが可能となる。また、夜間モードで受信した画像データを出力する時間を操作者ごとにずらすことができるので、円滑な画像データの出力が可能である。【選択図】            図３
2005110105.tif 000002
【特許請求の範囲】
【請求項１】
装置が受信したデータを用紙に印刷して出力する昼間モードと、装置が受信したデータをメモリに記憶して用紙には印刷しない夜間モードとを切替え可能なファクシミリ装置において、
夜間モードから昼間モードにモードが切替えられたことに応答して、夜間モード中にメモリに記憶された受信データがあるときは、受信データごとに、それぞれ、１ページ目のデータだけを出力する受信データ１ページ目出力手段と、
受信データの出力要求を判別する判別手段と、
上記判別手段により出力要求ありと判別された受信データについて、その１ページ目を除く残りのページを出力する受信データ残存ページ出力手段と、を有することを特徴とするファクシミリ装置。
【請求項２】
上記受信データ１ページ目出力手段は、各受信データを区別できるように、受信データごとに異なる識別符号を付与して出力するものであり、
上記判別手段は、当該識別符号の入力の有無により出力要求の有無を判別するものであることを特徴とする請求項１に記載のファクシミリ装置。
【発明の詳細な説明】
【技術分野】
【０００１】
この発明は、ファクシミリ装置に関し、特に、ファクシミリ機能の他に、コピー機能、プリンタ機能等を有する多機能型のファクシミリ装置に関する。
【背景技術】
【０００２】
現在、ファクシミリ機能、コピー機能等の複合機能を有する多機能型の画像形成装置が幅広く利用されている。この種の画像形成装置は会社等で利用されることが多い。そのため、昼間は頻繁に使用されるが、夜間の使用頻度は極僅かである。具体的には、夜間の使用は、ほぼファクシミリ機能の利用に限られる。このため、ファクシミリ機能が損なわれない範囲内で夜間の画像形成装置の消費電力を抑えることが望まれる。
【０００３】
そこで、たとえば、特許文献１に記載のように、昼間と夜間とで、画像形成装置内の画像定着装置の設定温度を異ならせ、夜間の消費電力を抑えることのできる画像形成装置が提案されている。
【特許文献１】特開平０５−３２７９６４号公報
【発明の開示】
【発明が解決しようとする課題】
【０００４】
しかし、上記従来技術では、消費電力を抑えることはできるが、受信の度に出力をするので、結果として無駄な電力が生じてしまう。
この発明は、かかる技術背景をもとになされたもので、確実に無駄な消費電力を省くことのできるファクシミリ装置を提供することを目的とする。
【課題を解決するための手段】
【０００５】
上記目的を達成するための請求項１記載の発明は、装置が受信した（Ｓ２）データを用紙に印刷して出力する（Ｓ３）昼間モードと、装置が受信した（Ｓ５）データをメモリに記憶して用紙には印刷しない（Ｓ６）夜間モードとを切替え可能なファクシミリ装置（１）において、夜間モードから昼間モードにモードが切替えられた（Ｓ８）ことに応答して、夜間モード中にメモリに記憶された受信データがあるときは、受信データごとに、それぞれ、１ページ目のデータだけを出力する（Ｓ９）受信データ１ページ目出力手段（５）と、受信データの出力要求を判別する判別手段（６，Ｓ１０）と、上記判別手段により出力要求ありと判別された受信データについて、その１ページ目を除く残りのページを出力する受信データ残存ページ出力手段（５，Ｓ１１）と、を有することを特徴とするファクシミリ装置である。
【０００６】
この発明によれば、夜間モード中に記憶した受信データは、昼間モードに切替えられたときにその１ページ目のみが出力され、残りのページは出力要求がされた場合に出力される。よって、夜間モードから昼間モードへのモード切替時における受信データの出力時間を短縮することができ、かつ、受信データの残りのページの出力時を操作者ごとにずらすことができるので、夜間モード中に記憶した受信データの円滑な出力が可能である。また、夜間モード中には、受信データの出力はされないので、確実に無駄な消費電力を省くことができる。
【０００７】
請求項２記載の発明は、上記受信データ１ページ目出力手段（５）は、各受信データを区別できるように、受信データごとに異なる識別符号を付与して出力する（Ｓ９）ものであり、上記判別手段（６）は、当該識別符号の入力の有無により出力要求の有無を判別する（Ｓ１０）ものであることを特徴とする請求項１に記載のファクシミリ装置（１）である。
【０００８】
この発明によれば、１ページ目として出力される受信データには識別符号が付与されるので、操作者は、その識別符号を入力するという簡単な操作で残りのページの出力を要求することができる。
【発明を実施するための最良の形態】
【０００９】
以下では、この発明の実施の形態を、添付図面を参照して詳細に説明する。
図１は、この発明の一実施形態にかかるファクシミリ装置１を示す概略的なブロック図である。ファクシミリ装置１には、テンキー等を含む操作部２と、ネットワークを介して外部との画像データの送受を行う送受信部３と、外部から受信した画像データ等を記憶する記憶部４と、記憶部４に記憶されている画像データを用紙に出力する画像形成部５と、それらを制御する制御部６とが備えられている。また、記憶部４には、さらに、画像データを記憶する画像記憶メモリ４１と、それらの画像データと関連付けて識別符号を記憶する識別符号記憶メモリ４２とが含まれる。
【００１０】
ファクシミリ装置１は、制御部６によって、昼間モードと夜間モードとに切替えられる。制御部６には、たとえば、タイマーが備えられており、また、昼間モードと夜間モードとの時間帯（切替え時刻）が設定されている。昼間モードの時間帯が８：００〜２１：００と、夜間モードの時間帯が２１：００〜８：００と設定されているとすると、ファクシミリ装置１は、タイマーが、２１：００を示したことに応じて昼間モードから夜間モードに切替えられ、８：００を示したことに応じて、夜間モードから昼間モードに切替えられる。なお、昼間モードと夜間モードとの切替えは、操作部２が操作されることにより、その都度変更されるものであってもよい。
【００１１】
昼間モードでは、操作部２、送受信部３、記憶部４、画像形成部５に、作動が可能な電力が供給される。昼間モードにおいては、外部からネットワークを介して送受信部３で受信された画像データは、画像形成部５によって用紙に出力される。なお、昼間モードは、受信した画像データがその都度出力されるための電力が供給される。つまり、この実施形態では、画像形成部５は、受信したデータを電子写真方式でトナー像にし、それを用紙に転写して定着する。定着するための定着装置は、常に一定温度に保たれている必要があり、比較的多量の電力を消費する。
【００１２】
それに対して、夜間モードでは、たとえば、送受信部３および記憶部４のみが作動し得る電力が供給されており、操作部２および画像形成部５には、電力が供給されていない。つまり、夜間モードでは、画像形成部５の定着装置に電力が供給されないので、消費電力の大幅な削減が可能となる。なお、夜間モードにおいては、作動し得る構成部は上記のものに限らないが、できるだけ消費電力を少なくするように必要最小限におさえられることが好ましい。
【００１３】
夜間モードにおいて送受信部３で受信された画像データは、記憶部４の画像記憶メモリ４１に記憶される。さらに、記憶された一連の画像データ（以下、画像データ群と称する。）と関連付けて、識別符号記憶メモリ４２に識別符号が記憶される。記憶された画像データ群は、夜間モードでは出力されることはなく、制御部６によって昼間モードに切替えられたときに、画像データ群の１ページ目の画像データのみが識別符号が付されて出力される（詳しくは後述する）。
【００１４】
図２は、記憶部４の構成を示す概略図である。記憶部４には、上記のように、画像記憶メモリ４１と識別符号記憶メモリ４２とが含まれる。画像記憶メモリ４１は、夜間モードにおいて受信した画像データを記憶するものであり、複数の画像データ群を記憶しておくためのアドレスを複数有している。また、識別符号記憶メモリ４２は、夜間モードにおいて受信した各画像データ群と識別符号とを関連付けて記憶するためのものである。識別符号記憶メモリ４２においては、夜間モードで画像記憶メモリ４１の各アドレスに画像データ群が記憶されると、そのアドレスと識別符号とを併せて記憶する。
【００１５】
たとえば、夜間モードにおいて受信した複数の画像データ群が画像記憶メモリ４１のＡ，Ｂ，Ｃ，Ｄ，Ｅ，というアドレスに記憶されたとする。この場合、識別符号記憶メモリ４２には、たとえば、Ａと０００１という識別符号とが、Ｂと０００２という識別符号とが、Ｃと０００３という識別符号とが、Ｄと０００４という識別符号とが、Ｅと０００５という識別符号とが併せて記憶される。これにより、各アドレスをリンクさせて、夜間モードにおいて受信した画像データ群と識別符号とを関連付けて記憶しておくことができる。なお、記憶部４は、夜間モード時に受信した画像データ群と識別符号とが関連付けられて記憶されるものであればよく、それを達成するための構成は上記のものに限らず種々の変更が可能である。たとえば、アドレスをそのまま識別符号とする構成や、各アドレスに応じて予め識別符号が定められている構成であってもよい。また、上記では識別符号として数字を用いて説明したが、識別符号は後に入力可能なものであればよく、数字に限られない。
【００１６】
図３は、制御部６の制御動作を示すフローチャートであり、図４は、出力画像を示す概略図である。
以下、図３のフローチャートに沿って制御部６の制御手順を詳しく説明する。
まず、昼間モードの時間帯であるか否かが判別される。この実施形態では、たとえば、昼間モードの時間帯が、８：００〜２１：００と設定されているとする。
【００１７】
８：００〜２１：００の間の時間帯であれば（ステップＳ１でＹＥＳ）、外部から送信された画像データはネットワークを介して送受信部３で受信され（ステップＳ２でＹＥＳ）、画像形成部５によって用紙に出力される（ステップＳ３）。その後、昼間モードの時間帯が終了するまで、すなわち２１：００まで、上記動作が繰り返される（ステップＳ１→Ｓ２→Ｓ３の繰り返し）。
【００１８】
昼間モードの時間帯が終了すると、すなわち２１：００になると（ステップＳ１でＮＯ）、ファクシミリ装置１が、夜間モードに切替えられる(ステップＳ４)。このとき、前述のように、送受信部３および記憶部４のみが作動し得るように制御される。よって、消費電力が大幅に削減される。
夜間モードで、外部から送信された画像データは（ステップＳ５でＹＥＳ）、ネットワークを介して送受信部３で受信され、記憶部４の画像記憶メモリ４１に記憶される。さらに、このとき、記憶された画像データ群と関連付けて、記憶部４の識別符号記憶メモリ４２に識別符号が記憶される（ステップＳ６）。
【００１９】
たとえば、３ページの画像データ群が外部から送信されたとすると、まず、その画像データ群が画像記憶メモリ４１のＡというアドレスに記憶される。そして、アドレスＡと識別符号０００１とが識別符号記憶メモリ４２に併せて記憶される。
その後は、夜間モードの時間帯が終了するまで、すなわち８：００まで上記動作が繰り返される。つまり、送受信部３によって外部から画像データを受信すると、画像データ群が画像記憶メモリ４１の各アドレスに記憶されるとともに、そのアドレスと併せて識別符号が識別符号記憶メモリ４２に順に記憶される（ステップＳ５→Ｓ６→Ｓ７の繰り返し）。たとえば、夜間モードにおいて、合計５部の画像データ群を受信したとすると、アドレスＡ〜Ｅに各画像データ群が記憶されるとともに、Ａ〜Ｅの各アドレスと併せて０００１〜０００５までの各識別符号が識別符号記憶メモリ４２に記憶される（図２参照）。
【００２０】
夜間モードの時間帯から昼間モードの時間帯に移ると、すなわち８：００になると（ステップＳ７でＹＥＳ）、ファクシミリ装置１が、昼間モードに切替えられる（ステップＳ８）。つまり、操作部２、送受信部３、記憶部４、画像形成部５に、作動が可能な電力が供給される。このとき同時に、夜間モードにおいて画像記憶メモリ４１に記憶された複数の画像データ群（ステップＳ６で記憶された画像データ群）のうちそれぞれの１ページ目のみが、識別符号記憶メモリ４２にその画像データ群に関連付けて記憶されている識別符号が付されて、画像形成部５によって用紙に出力される（ステップＳ９）。よって、０００１〜０００５までの各識別符号が付された画像が５枚のみ形成される（図４参照）。これにより、たとえば、ファクシミリ装置１が夜間モードにおいて大量に画像データ群を受信した場合であっても、画像データの出力に要する時間を短縮することができる。よって、早朝からコピーをとりたいユーザが存在したとしても、夜間に受信した画像データの出力が終了するまでの待ち時間が多くならないので、使い勝手のよい装置であるといえる。
【００２１】
その後、用紙に付された識別符号を確認した操作者により、操作部２が操作されて識別符号が入力されると（ステップＳ１０でＹＥＳ）、識別符号から識別される画像データ群の残りの画像データ（２ページ目以降の画像データ）が、画像形成部５によって用紙に出力される（ステップＳ１１）。すなわち、操作者により、操作部２が操作され、０００１と入力されると、識別符号０００１で識別される画像データ群（アドレスＡに記憶されている画像データ群）の残りの画像データである２ページ目と３ページ目とが画像形成部５によって出力される。これにより、夜間モードで受信した画像データを出力する時間を操作者ごとにずらすことができるので、円滑な画像データの出力が可能である。なお、このとき出力される画像データは２ページ目以降のものに限定されず、たとえば、１ページ目からの全ページが改めて出力されるものであってもよいし、操作部２の操作によって、全ページを出力するか、２ページ目以降を出力するかが選択されるものであってもよい。
【００２２】
この発明では、ファクシミリ装置１が昼間モードと夜間モードとに切替えられ、夜間モードにおいて受信した画像データは、昼間モードに切替えられたときに各画像データ群の１ページ目のみが出力され、残りのページは操作者の操作に応じて出力される。よって、夜間モードでは、画像形成部５や操作部２への電力供給を削減することができ、最低限の消費電力に抑えることが可能となる。
【００２３】
また、この実施形態では、昼間モードと夜間モードとの切替えが１日に１回であるとして説明したが、昼間モードと夜間モードの切替え方は種々に変更可能である。たとえば、土日等、会社に人がいない日を夜間モードと、平日を昼間モードとするものであってもよいし、夜間モード中に操作部２の操作に応じて臨時に昼間モードに切替えられるものであってもよい。
【００２４】
この発明は、以上説明した実施形態に限定されるものではなく、請求項記載の範囲内において種々の変更が可能である。
【図面の簡単な説明】
【００２５】
【図１】この発明の一実施形態にかかるファクシミリ装置を示す概略的なブロック図である。
【図２】記憶部の構成を示す概略図である。
【図３】制御部の制御動作を示すフローチャートである。
【図４】出力画像を示す概略図である。
【符号の説明】
【００２６】
１      ファクシミリ装置
５      画像形成部
６      制御部
【図１】
2005110105.tif 000003
【図２】
2005110105.tif 000004
【図３】
2005110105.tif 000005
【図４】
2005110105.tif 000006